(57)【要約】【課題】  複数枚の光学レンズを取り付けるレンズ鏡筒において、各光学レンズのレンズ光軸をそれぞれ高精度で合わせることができるレンズ鏡筒を提供する。【解決手段】  複数枚の光学レンズが圧入によって取り付けられるレンズ鏡筒１０において、圧入された光学レンズが当接するリブ（突起）を、第１光学レンズ１を保持する第１レンズ保持面と、第２光学レンズ２を保持する第２レンズ保持面とに、それぞれ複数形成するとともに、第１レンズ保持面に形成した各リブ１１ａ〜１１ｄと第２レンズ保持面に形成した各リブ１２ａ〜１２ｄとの形成位置を、それぞれ周方向にずらして配設する。【選択図】        図１
2005266227.tif 000002
【特許請求の範囲】
【請求項１】
複数枚の光学レンズが圧入によって取り付けられるレンズ鏡筒（１０）において、
圧入された光学レンズが当接するリブ（突起）を、第１光学レンズ（１）を保持する第１レンズ保持面と、第２光学レンズ（２）を保持する第２レンズ保持面とに、それぞれ複数形成するとともに、
第１レンズ保持面に形成した各リブ（１１ａ〜１１ｄ）と第２レンズ保持面に形成した各リブ（１２ａ〜１２ｄ）との形成位置をそれぞれ周方向にずらして配設したことを特徴とするレンズ鏡筒。
【請求項２】
第１レンズ保持面と第２レンズ保持面とに、それぞれ少なくとも３つのリブを等間隔で形成したことを特徴とする請求項１に記載のレンズ鏡筒。
【請求項３】
第１レンズ保持面に形成した各リブ（１１ａ〜１１ｄ）の中間に相当する位置に、第２レンズ保持面に形成した各リブ（１２ａ〜１２ｄ）を配設したことを特徴とする請求項１または２に記載のレンズ鏡筒。
【発明の詳細な説明】
【技術分野】
【０００１】
この発明は、光学レンズを取り付けるレンズ鏡筒に関し、特に複数枚の光学レンズが圧入されるレンズ鏡筒に関する。
【背景技術】
【０００２】
レンズ鏡筒に光学レンズを圧入して取り付けるにあたって、レンズ鏡筒の内周（レンズ保持面）若しくは光学レンズの外周にリブ（突起）を形成し、前記リブ形成位置（突起部）で光学レンズを保持することによって、レンズ嵌合部の「ガタ」によって発生する光学レンズの倒れや偏心を防止し、レンズ光軸を高精度で合わせることができる。（特許文献１〜４を参照。）
従来術によるレンズ鏡筒１００について図４を参照して説明する。
図４（ａ）は、従来技術のレンズ鏡筒１００に光学レンズ１を取り付けた状態を示す平面図である。図４（ｂ）は、図４（ａ）のＡ−Ａ線断面図である。図４（ｃ）は、従来技術によるレンズ鏡筒の斜視図である。
レンズ鏡筒１００に光学レンズ１を取り付けるにあたって、光学レンズ１の嵌め込みを容易にするため、図４（ａ）に示すように、光学レンズの口径は鏡筒内周径よりも若干小さくなるように設計されている。つまりレンズ嵌合部にガタが発生する。
しかし、レンズ鏡筒１００の内周面（レンズ保持面）に３つのリブ（突起）１０１ａ〜１０１ｃを等間隔で形成することによって、鏡筒内に嵌め込んだ光学レンズ１が前記リブ１０１ａ〜１０１ｃに当接して保持され、レンズ嵌合部に発生したガタによって誘発される光学レンズの倒れや偏心を防止することができる。
そして従来技術によれば、図４（ｂ）及び（ｃ）に示すように、レンズ鏡筒１００の内周面に、レンズ光軸と平行な方向に延びる長軸状のリブ（棒状のリブ）を３つ形成し、第１レンズ保持面と第２レンズ保持面とにわたって形成された長軸状のリブ（突起）１０１ａ〜１０１ｃによって、複数枚の光学レンズ（第１光学レンズ１と第２光学レンズ２）をそれぞれ保持し、各光学レンズの倒れや偏心を防止し、レンズ光軸をあわせていた。
【特許文献１】特開平１１−８４１９７号公報（図３）
【特許文献２】実公昭６３−８８８４号公報（第２図、第３図、第４図）
【特許文献３】特開平１０−１９７７７２号公報（図２）
【特許文献４】特開２００２−９０６０４号（第１図、第３図）
【発明の開示】
【発明が解決しようとする課題】
【０００３】
しかしながら、従来技術によるレンズ鏡筒に複数枚の光学レンズを取り付けた場合、第１光学レンズ１の圧入時にレンズ鏡筒１００が弾性変形するため、鏡筒内周面に形成した長軸状のリブ１０１ａ〜１０１ｃによる第２光学レンズ２の保持力が低減し、第２光学レンズ２のレンズ光軸を高精度で合わせることができなかった。
つまり、第１光学レンズ１の圧入時に、リブ形成位置が膨らむようにしてレンズ鏡筒１００が弾性変形するため、鏡筒内周面に長軸状のリブ１０１ａ〜１０１ｃを形成した従来技術のレンズ鏡筒１００では、弾性変形後にレンズ鏡筒に取り付けられる第２光学レンズ２のレンズ光軸を高精度で合わせることができなかった。
【０００４】
この発明は、複数枚の光学レンズを取り付けるレンズ鏡筒において、各光学レンズのレンズ光軸をそれぞれ高精度で合わせることができるレンズ鏡筒を提供することを目的とする。
【課題を解決するための手段】
【０００５】
上述の目的を達成するため、この発明によるレンズ鏡筒は、圧入された光学レンズが当接するリブ（突起）を、第１光学レンズを保持する第１レンズ保持面と、第２光学レンズを保持する第２レンズ保持面とに、それぞれ複数形成するとともに、第１レンズ保持面に形成した各リブと第２レンズ保持面に形成した各リブとの形成位置を、それぞれ周方向にずらして配設したものである。
【発明の効果】
【０００６】
この発明によれば、複数枚の光学レンズを取り付けるレンズ鏡筒において、光学レンズの圧入によるレンズ鏡筒の弾性変形にもかかわらず、各光学レンズのレンズ光軸を高精度で合わせることができる。
【発明を実施するための最良の形態】
【０００７】
以下にこの発明の実施形態について、図面を参照にして説明する。
【０００８】
この発明の第１実施例によるレンズ鏡筒について、図１及び図２を参照して説明する。
図１（ａ）は、この発明の第１実施例によるレンズ鏡筒の断面図であり、図１（ｂ）は、レンズ鏡筒の平面図である。
この実施例では、第１光学レンズ１と第２光学レンズ２との２枚の光学レンズが圧入によって取り付けられるレンズ鏡筒１０において（図１（ａ）を参照）、第１光学レンズ１を保持する第１レンズ保持面に４つのリブ（突起）１１ａ〜１１ｄを等間隔で形成するとともに、第２光学レンズ２を保持する第２レンズ保持面に４つのリブ（突起）１２ａ〜１２ｄを等間隔で形成し、第１レンズ保持面に形成した各リブ１１ａ〜１１ｄと第２レンズ保持面に形成した各リブ１２ａ〜１２ｄとの形成位置をそれぞれ周方向にずらして配設してある（図１（ｂ）を参照）。
【０００９】
圧入された光学レンズが当接するリブ（突起）を、第１レンズ保持面と第２レンズ保持面とにそれぞれ複数形成するとともに、第１レンズ保持面に形成した各リブ１１ａ〜１１ｄと第２レンズ保持面に形成した各リブ１２ａ〜１２ｄとの形成位置をそれぞれ周方向にずらして配設したことによって、レンズ鏡筒１０に第１光学レンズ１を圧入したときに、第１レンズ保持面に形成された複数のリブ１１ａ〜１１ｄが第１光学レンズ１の外周に当接して第１光学レンズ１を保持するとともに、前記第１光学レンズの圧入後（つまりレンズ鏡筒の弾性変形後）に第２光学レンズ２を圧入したときに、第２レンズ保持面に形成された複数のリブ１２ａ〜１２ｄが第２レンズの外周に当接して第２光学レンズ２を保持する。
【００１０】
図１に示す実施例は、第１レンズ保持面に形成した凸状のリブ１１ａ〜１１ｄに対して、第２レンズ保持面に形成した凸状のリブ１２ａ〜１２ｄが周方向にずれて配設されたレンズ鏡筒１０であって、図１（ｂ）の平面図に示すように、第１レンズ保持面および第２レンズ保持面には４つのリブが等間隔（９０°間隔）にそれぞれ形成されるとともに、第１レンズ保持面に形成したリブ１１ａとリブ１１ｂの中間に相当する位置に、第２レンズ保持面に形成したリブ１２ａを配設してある。つまり、第２レンズ保持に形成したリブ１２ａ〜１２ｄは、第１レンズ保持面に形成したリブ１１ａ〜１１ｄに対して４５°ずらして配設されている。
これによって、第１レンズ保持面に形成したリブ１１ａ〜１１ｄが第１光学レンズ１を保持し、第１光学レンズ１のレンズ光軸を高精度に合わせることができるとともに、第１光学レンズ１の圧入時にレンズ鏡筒１０が弾性変形しても、第２レンズ保持面に形成したリブ１２ａ〜１２ｂが第２光学レンズ２をしっかりと保持し、第２光学レンズ２のレンズ光軸を高精度で合わせることができる。
【００１１】
図２は、第１光学レンズ１を圧入したときのレンズ鏡筒１０の弾性変形について説明する図である。
図２に示すように、レンズ鏡筒１０に第１光学レンズ１０を圧入すると、嵌合部の形状（第１光学レンズ１の外周形状とレンズ鏡筒１０の内周形状）に合わせてレンズ鏡筒が弾性変形する。
つまり、第１レンズ保持面に凸状のリブ１１ａ〜１１ｄを形成したレンズ鏡筒１０の内周では、リブ形成位置が突起しているため、鏡筒内に圧入された第１光学レンズ１によって前記リブ１１ａ〜１１ｄの形成位置が外方に向かって押上げられ、リブ形成位置が膨らむようにして第１レンズ保持面が変形する。またリブ形成位置が膨らむように変形したことに伴い、各リブ形成位置の中間（リブとリブの間）が内方に向かって押下げられ、各リブ形成位置の中間が凹むようにして第１レンズ保持面が変形する。
【００１２】
そして上記の第１レンズ保持面の変形に伴って、第１レンズ保持面に隣接する第２レンズ保持面も変形する。つまり第２レンズ保持面においても、第１レンズ保持面に形成した各リブ１１ａ〜１１ｄの形成位置に相当する部分が外方に向かって押上げられ、前記各リブ１１ａ〜１１ｄの形成位置の中間に相当する部分が内方に向かって押下げられる。
【００１３】
従って、第１レンズ保持面に形成した各リブ１１ａ〜１１ｄの中間に相当する位置に、第２レンズ保持面に形成したリブ１２ａ〜１２ｄが配設されているレンズ鏡筒１０では、第１光学レンズ１の圧入によるレンズ鏡筒１０の弾性変形によって、第２レンズ保持面に形成したリブ１２ａ〜１２ｄが内方に向かって押下げられる。
これによって、第２光学レンズ２を圧入したときに、前記第２レンズ保持面に形成されたリブ１２ａ〜１２ｄによって第２光学レンズ２がしっかりと保持され、第２光学レンズ２の光軸を高精度で合わせることができる。
【００１４】
次に、この発明の第２実施例によるレンズ鏡筒について、図３を参照して説明する。
図３に示す実施例では、３枚の光学レンズが取り付けられるレンズ鏡筒１０´において、第１光学レンズを保持する第１レンズ保持面と、第２光学レンズを保持する第２レンズ保持面に、第１実施例と同様に、それぞれ４つのリブ（突起）を等間隔で形成するとともに、第３光学レンズを保持する第３レンズ保持面にも４つのリブ（突起）１３ａ〜１３ｄを等間隔で形成し、さらに第１レンズ保持面に形成した各リブ１１ａ〜１１ｄと第２レンズ保持面に形成した各リブ１２ａ〜１２ｄとの形成位置をそれぞれ周方向にずらして配設し、かつ第２レンズ保持面に形成した各リブ１２ａ〜１２ｄと第３レンズ保持面に形成した各リブ１３ａ〜１３ｄとの形成位置もそれぞれ周方向にずらして配設してある。
【００１５】
この実施例のレンズ鏡筒１０´では、第１レンズ保持面に形成した各リブ１１ａ〜１１ｄの中間に相当する位置に、第２レンズ保持面に形成した各リブ１２ａ〜１２ｄが配設され、第２レンズ保持面に形成した各リブ１２ａ〜１２ｄの中間に相当する位置（すなわち、第１レンズ保持面に形成した各リブ１１ａ〜１１ｄの形成位置に相当する位置）に、第３レンズ保持面に形成した各リブ１３ａ〜１３ｄが配設されている。
つまり、第１レンズ保持面に等間隔（９０°間隔）に形成した４つリブ１１ａ〜１１ｄと、第２レンズ保持面に等間隔（９０°間隔）に形成した４つのリブ１２ａ〜１２ｄと、第３レンズ保持面に等間隔（９０°間隔）に形成した４つのリブ１３ａ〜１３ｄとが、それぞれ４５°ずつ周方向にずらして配設され、各レンズ保持面のリブ形成位置と非リブ形成位置とがそれぞれレンズ保持面毎に互い違いになるように配設されている。
【００１６】
この実施例のレンズ鏡筒１０´によれば、第１光学レンズの圧入によるレンズ鏡筒１０´の弾性変形によって、第２レンズ保持面に形成したリブ１２ａ〜１２ｄが内方に向かって押下げられるため、レンズ鏡筒１０´に第２光学レンズ２を圧入したときに、前記第２レンズ保持面に形成されたリブ１２ａ〜１２ｄによって第２光学レンズがしっかりと保持され、第２光学レンズのレンズ光軸を高精度で合わせることができる。
また第２光学レンズの圧入によるレンズ鏡筒１０´の弾性変形によって、第３レンズ保持面に形成したリブ１３ａ〜１３ｄが内方に向かって押下げられるため、第３光学レンズをレンズ鏡筒１０´圧入したときに、前記第３レンズ保持面に形成されたリブ１３ａ〜１３ｄによって第３光学レンズがしっかりと保持され、第３光学レンズの光軸を高精度で合わせることができる。
【００１７】
以上説明したように、複数枚の光学レンズが圧入によって取り付けられるレンズ鏡筒において、レンズ保持面に光学レンズが当接するリブを複数形成するとともに、隣接するレンズ保持面に形成された各リブの形成位置をそれぞれ周方向にずらして配設することによって、光学レンズの圧入によるレンズ鏡筒の弾性変形にかかわらず、各レンズ保持面に形成したリブによって光学レンズがしっかりと保持され、複数枚の光学レンズのレンズ光軸を高精度で合わせることができる。
なおレンズ鏡筒１０に圧入される光学レンズは、ガラスレンズやプラスチックレンズ、何れのレンズを用いてもよい。
【００１８】
また、この発明のレンズ鏡筒によれば、鏡筒内周に光学レンズを保持するリブ（突起）を形成するにあたって、少なくとも３つ、好ましくは３〜６つのリブ（突起）を各レンズ保持面にそれぞれ形成し、さらに各レンズ保持面に形成したリブを等間隔で配設することが好ましい。
さらに、隣接するレンズ保持面に形成された各リブの形成位置をそれぞれ周方向にずらして配設するにあたって、一方のレンズ保持面に形成した各リブの中間に相当する位置に、他方のレンズ保持面に形成した各リブを配設することが好ましい。
またさらに、３枚以上の光学レンズを取り付けるレンズ鏡筒では、第１レンズ保持面に形成した各リブ１１ａ〜１１ｄの中間に相当する位置に、第２レンズ保持面に形成した各リブ１２ａ〜１２ｄを配設するとともに、第２レンズ保持面に形成した各リブ１２ａ〜１２ｄの中間に相当する位置（すなわち、第１レンズ保持面に形成した各リブ１１ａ〜１１ｄの形成位置に相当する位置）に、第３レンズ保持面に形成した各リブ１３ａ〜１３ｄを配設し、各レンズ保持面のリブ形成位置と非リブ形成位置とがそれぞれレンズ保持面毎に互い違いになるように配設することが好ましい。
【図面の簡単な説明】
【００１９】
【図１】この発明の第１実施例によるレンズ鏡筒を示す図である。
【図２】レンズ鏡筒の弾性変形を説明する図である。
【図３】この発明の第２実施例によるレンズ鏡筒を示す図である。
【図４】従来技術によるレンズ鏡筒を示す図である。
【符号の説明】
【００２０】
１    第１光学レンズ
２    第２光学レンズ
１０  レンズ鏡筒
１１ａ〜１１ｄ  第１レンズ保持面に形成したリブ
１２ａ〜１２ｄ  第２レンズ保持面に形成したリブ
１３ａ〜１３ｄ  第３レンズ保持面に形成したリブ
【図１】
2005266227.tif 000003
【図２】
2005266227.tif 000004
【図３】
2005266227.tif 000005
【図４】
2005266227.tif 000006